(57)【要約】【課題】注射器本体から蓋体を容易に抜去させることができる自己注射補助具を提供する。【解決手段】注射器を保持し前記注射器の注射針を覆う蓋体を抜去する注射補助具であって、本体と、注射器の中心軸線に沿う軸線方向における位置を固定して注射器を保持する保持体と、保持体を軸線方向に移動可能に収容して本体にスライド移動可能に装着され本体に対して引き出された位置から本体に収容された位置に押し込まれる際に蓋体を抜去するように押圧する押圧部材と、を備えた。【選択図】図１
2018196649.tif 000002
【特許請求の範囲】
【請求項１】
注射器を保持し前記注射器の注射針を覆う蓋体を抜去する注射補助具であって、
本体と、
前記注射器の中心軸線に沿う軸線方向における位置を固定して前記注射器を保持する保持体と、
前記保持体を軸線方向に移動可能に収容して前記本体にスライド移動可能に装着され前記本体に対して引き出された位置から前記本体に収容された位置に押し込まれる際に前記蓋体を抜去するように押圧する押圧部材と、を備えた、
ことを特徴とする自己注射補助具。
【請求項２】
前記押圧部材は、前記本体に押し込まれる際に前記保持体が前記本体に当接して移動を停止した状態でさらに前記本体に向かって前記蓋体が抜去される位置に移動した際に前記本体に形成された係合孔部と係合する係合爪を有する、
ことを特徴とする請求項１に記載の自己注射補助具。
【請求項３】
前記保持体は、前記押圧部材に収容された状態で前記本体に向かうように付勢部材を介して前記軸線方向に付勢されて移動可能に収容されている、
ことを特徴とする請求項１又は２に記載の自己注射補助具。
【請求項４】
前記本体に前記注射器のピストンが押し込まれた位置が視認可能な窓部が形成されている、
ことを特徴とする請求項１ないし３のいずれか１項に記載の自己注射補助具。
【請求項５】
注射する際に注射体と接触する当て具を更に備え、前記当て具は、前記注射針を覆う状態と前記注射針を露出した状態の間で前記本体に移動可能に設けられている、
ことを特徴とする請求項１ないし４のいずれか１項に記載の自己注射補助具。
【発明の詳細な説明】
【技術分野】
【０００１】
本発明は、自己注射補助具に関する。
【背景技術】
【０００２】
注射器内部に充填された治療薬を患者自らが注射する自己注射を補助する自己注射補助具であって、注射器が、外筒と、該外筒内を軸方向に移動可能な内筒と、外筒の一端に取り付けられたつばもとと、外筒の他端から延在する小径部に接続される注射針と、該注射針を覆い小径部に嵌合される針キャップとを備え、自己注射補助具が、注射器を固定する本体と、該本体に対して開閉自在である透明なカバーとを備え、該カバーは、注射器が正しい位置で本体に固定されている場合に、本体に対して閉鎖およびロックされることができ、自己注射補助具がさらに、注射器の針キャップを抜去するための針キャップ抜去機構部と、本体に対するカバーの閉鎖動作に応じて、針キャップ抜去機構部を動作させる動作機構部とを備える自己注射補助具が知られている（特許文献１）。
【先行技術文献】
【特許文献】
【０００３】
【特許文献１】特開２０１１−９８１３３号公報
【発明の概要】
【発明が解決しようとする課題】
【０００４】
本発明は、注射器を容易にセットすることができ、注射器本体から蓋体を容易に抜去させることができる自己注射補助具を提供することを目的とする。
【課題を解決するための手段】
【０００５】
前記課題を解決するために、請求項１に記載の自己注射補助具は、
注射器を保持し前記注射器の注射針を覆う蓋体を抜去する注射補助具であって、
本体と、
前記注射器の中心軸線に沿う軸線方向における位置を固定して前記注射器を保持する保持体と、
前記保持体を軸線方向に移動可能に収容して前記本体にスライド移動可能に装着され前記本体に対して引き出された位置から前記本体に収容された位置に押し込まれる際に前記蓋体を抜去するように押圧する押圧部材と、を備えた、
ことを特徴とする。
【０００６】
請求項２に記載の発明は、請求項１に記載の自己注射補助具において、
前記押圧部材は、前記本体に押し込まれる際に前記保持体が前記本体に当接して移動を停止した状態でさらに前記本体に向かって前記蓋体が抜去される位置に移動した際に前記本体に形成された係合孔部と係合する係合爪を有する、
ことを特徴とする。
【０００７】
請求項３に記載の発明は、請求項１又は２に記載の自己注射補助具において、
前記保持体は、前記押圧部材に収容された状態で前記本体に向かうように付勢部材を介して前記軸線方向に付勢されて移動可能に収容されている、
ことを特徴とする。
【０００８】
請求項４に記載の発明は、請求項１ないし３のいずれか１項に記載の自己注射補助具において、
前記本体に前記注射器のピストンが押し込まれた位置が視認可能な窓部が形成されている、
ことを特徴とする。
【０００９】
請求項５に記載の発明は、請求項１ないし４のいずれか１項に記載の自己注射補助具において、
注射する際に注射体と接触する当て具を更に備え、前記当て具は、前記注射針を覆う状態と前記注射針を露出した状態の間で前記本体に移動可能に設けられている、
ことを特徴とする。
【発明の効果】
【００１０】
請求項１記載の発明によれば、注射器を保持して本体にスライド移動可能に装着された保持体を備えていない構成に比べて、注射器本体から蓋体を容易に抜去させることができることができる。
【００１１】
請求項２に記載の発明によれば、本体に形成された係合孔部と係合する係合爪を有しない場合に比べて、押圧部材を蓋体の抜去位置で固定して蓋体を確実に抜去することができる。
【００１２】
請求項３に記載の発明によれば、注射器を本体に対して一定の位置に固定することができる。
【００１３】
請求項４に記載の発明によれば、注射器のピストンの位置を外部から視認することができる。
【００１４】
請求項５記載の発明によれば、注射針を覆う状態と注射針を露出した状態の間で本体に移動可能に設けられている当て具を有しない構成に比べて、安全に操作することができる。
【図面の簡単な説明】
【００１５】
【図１】（ａ）は注射器がセットされた自己注射補助具の全体構成を示す斜視図、（ｂ）はセットされた注射器のキャップを除去する状態の自己注射補助具を示す斜視図、（ｃ）はキャップが抜去され注射する状態の自己注射補助具を示す斜視図である。
【図２】（ａ）は注射器がセットされた自己注射補助具の内部を示す斜視図、（ｂ）はセットされた注射器のキャップを除去する状態の自己注射補助具の内部を示す斜視図である。
【図３】自己注射補助具の構成を示す分解斜視図である。
【図４】（ａ）は第１本体部の平面図、（ｂ）は第１本体部の縦断面図である。
【図５】（ａ）は保持部材の平面図、（ｂ）は保持部材の正面図、（ｃ）は保持部材の縦断面図である。
【図６】（ａ）は押圧部材の平面図、（ｂ）は押圧部材の正面図、（ｃ）は押圧部材の縦断面図である。
【図７】（ａ）は押圧部材を引き出した状態で注射器を保持部材にセットする状態を示す縦断面図、（ｂ）は注射器がセットされた自己注射補助具を示す縦断面図、（ｃ）は押圧部材を本体に押し込んだ状態の自己注射補助具を示す縦断面図、（ｄ）は注射器がセットされキャップが抜去された自己注射補助具を示す縦断面図である。
【図８】（ａ）はキャップが抜去され注射できる状態の自己注射補助具を示す平面図、（ｂ）はキャップが抜去され注射できる状態の自己注射補助具を示す縦断面図である。
【図９】（ａ）は当て具が押し込まれ注射できる状態の自己注射補助具を示す平面図、（ｂ）は当て具が押し込まれ注射できる状態の自己注射補助具を示す縦断面図である。
【図１０】注射器の縦断面図である。
【発明を実施するための形態】
【００１６】
次に図面を参照しながら、本発明の実施形態の具体例を説明するが、本発明は以下の実施形態に限定されるものではない。
尚、以下の図面を使用した説明において、図面は模式的なものであり、各寸法の比率等は現実のものとは異なることに留意すべきであり、理解の容易のために説明に必要な部材以外の図示は適宜省略されている。
【００１７】
（１）自己注射補助具の全体構成と動作
図１（ａ）は注射器１００がセットされた自己注射補助具１の全体構成を示す斜視図、（ｂ）はセットされた注射器１００のキャップ１１０を除去する状態の自己注射補助具１を示す斜視図、（ｃ）はキャップ１１０が抜去され注射する状態の自己注射補助具１を示す斜視図、図２（ａ）は注射器１００がセットされた自己注射補助具１の内部を示す斜視図、（ｂ）はセットされた注射器１００のキャップ１１０を除去する状態の自己注射補助具１の内部を示す斜視図、図１０は注射器１００の縦断面図である。以下、図面を参照しながら、本実施形態に係る自己注射補助具１の全体構成と動作について説明する。
【００１８】
自己注射補助具１は、本体１０と、注射器１００を軸線方向における位置を固定して保持する保持部材２０と、保持部材２０を軸線方向に移動可能に収容して本体１０にスライド移動可能に装着される押圧部材３０と、本体１０に移動可能に設けられた当て具４０と、を備えて構成されている。
【００１９】
注射器１００は、図１０に示すように、特定の治療薬が予め充填された外筒１０１と、外筒１０１内を軸方向に移動可能なピストン１０２と、外筒１０１の前端から突出する小径部１０４に接続され外筒１０１内部と連通する通路を有する注射針１２０と、注射針１２０を覆った状態で外筒１０１の前端との間に間隙Ｇを有して小径部１０４に嵌合されるキャップ１１０とを備えて構成されている。また、外筒１０１の後端には外筒１０１の中心軸線と交差する方向に突出する鍔部１０３が形成されている。
【００２０】
図１（ａ）、図２（ａ）に示すように、保持部材２０を収容した押圧部材３０を本体１０に対して引き出した状態で注射器１００を保持部材２０にセットして、図１（ｂ）、図２（ｂ）に示すように、押圧部材３０を本体１０に対して押し込むと、注射器１００は保持部材２０に保持された状態で本体１０内に移動して停止する。そして押圧部材３０を更にロック位置まで押し込むと、注射器１００は保持部材２０とともに本体１０内で停止した状態で、押圧部材３０が注射針１２０を覆うキャップ１１０を押圧して（図２（ｂ）中  矢印Ｒ参照）、キャップ１１０が注射器１００から抜去される。
【００２１】
キャップ１１０が注射器１００から抜去されると、注射針１２０が露出し、操作者が当て具４０を自己に押し当てると、図１（ｃ）に示すように注射針１２０が当て具４０から突出して自己注射する状態になる。
【００２２】
（２）自己注射補助具の構成
図３は自己注射補助具１の分解斜視図、図４（ａ）は第１本体部１０Ａの平面図、（ｂ）は第１本体部１０Ａの縦断面図、図５（ａ）は保持部材２０の平面図、（ｂ）は保持部材２０の正面図、（ｃ）は保持部材２０の縦断面図、図６（ａ）は押圧部材３０の平面図、（ｂ）は押圧部材３０の正面図、（ｃ）は押圧部材３０の縦断面図である。以下、図面を参照しながら、自己注射補助具１の構成について説明する。
【００２３】
自己注射補助具１は、図３に示すように、上下に分割された第１本体部１０Ａと第２本体部１０Ｂが合わさって構成される本体１０と、注射器１００を軸線方向における位置を固定して保持する保持部材２０と、保持部材２０をバネ３４で本体１０側に向かって付勢した状態で軸線方向に移動可能に収容して本体１０にスライド移動可能に装着される押圧部材３０と、バネ４３で本体１０の前端側に突出するように付勢され本体１０に対して移動可能に設けられた当て具４０と、を備えて構成されている。
【００２４】
本体１０は、図３に示すように、内部に押圧部材３０をスライド移動可能に支持する第１本体部１０Ａと、第１本体部１０Ａと合わさって内部に収容される注射器１００を覆う第２本体部１０Ｂから構成されている。
【００２５】
第１本体部１０Ａは、図４（ａ）、（ｂ）に示すように、押圧部材３０のスライド移動を案内するように底部１０Ａａから立設されたガイド部１１と、押圧部材３０とともに本体１０内に押し込まれる保持部材２０の前端部と接触して保持部材２０の移動を阻止するストッパ部１２と、押圧部材３０が本体１０に押し込まれた際に押圧部材３０に形成された係合部３２と係合する係合孔部１３と、当て具４０を本体１０の前端側に突出するように付勢するバネ４３の一端を受ける支持部１４と、を有する。
【００２６】
第２本体部１０Ｂは、図３に示すように、第１本体部１０Ａと合わさって第１本体部１０Ａの開口する上側を覆うカバーとして構成され、第２本体部１０Ｂの外側面１０Ｂａには窓部１５が形成されている。注射する際に操作者は、窓部１５を介して注射器１００のピストン１０２の位置を外部から視認することができる。また、第２本体部１０Ｂの内面にはリブ１６が立設され、保持部材２０に保持された注射器１００の外筒１０１と接触して注射器１００の保持部材２０内での浮き上がりを防止している（図７（ｃ）、（ｄ）参照）。
【００２７】
第２本体部１０Ｂは、透明材料で形成してもよい。透明材料としては、特に制限されず、各種公知の任意の熱可塑性樹脂が使用できる。具体的には、例えば、ポリスチレン樹脂（ＰＳ）、高衝撃ポリスチレン樹脂（ＨＩＰＳ）、ポリカーボネート樹脂（ＰＣ）、ポリエチレンテレフタレート樹脂（ＰＥＴ）等が挙げられる。第２本体部１０Ｂを透明材料で形成することで、押圧部材３０を押し込み操作する際に、保持部材２０に保持された注射器１００を外部から容易に視認することができる。
【００２８】
保持部材２０は、図５（ａ）に示すように、上方に開口した箱状部材であり、前端側には押圧部材３０とともに本体１０内へ押し込まれた際に第１本体部１０Ａに設けられたストッパ部１２と当接する壁部２１を有する（図５（ｃ）参照）。後端側には、注射器１００の外筒１０１の一端（注射針１２０と反対側）に形成された鍔部１０３に嵌まり合う溝部２２が形成され、保持部材２０内で注射器１００を軸線方向に移動不可に固定する。
【００２９】
保持部材２０の両側面には、図５（ｂ）に示すように、保持される注射器１００の軸線方向に延在する突起部２３が形成されている。突起部２３は、保持部材２０が押圧部材３０に収容された状態で、押圧部材３０の両側面に形成された長孔３３（図６  参照）と嵌り合うことで、保持部材２０は押圧部材３０に対して相対的に移動可能に収容されることになる。
【００３０】
押圧部材３０は、図６（ａ）に示すように、上方に開口した箱状部材であり、前端側には、注射器１００のキャップ１１０と外筒１０１の小径部１０４との間隙Ｇに嵌まり込む爪部３１が形成されている。爪部３１は、押圧部材３０を本体１０に対して押し込んだ際に、キャップ１１０と係合して、ストッパ部１２と当接して本体１０内への移動が阻止された保持部材２０に保持された注射器１００からキャップ１１０を抜去させるように作用する。
【００３１】
押圧部材３０の両側面の先端側（押し込み側）には、外側に突出するようにリブ３５が形成されている。リブ３５は押圧部材３０を第１本体部１０Ａに取り付けた状態で、ガイド部１１に接触してガイドされ押圧部材３０が本体１０にスライド移動可能に保持される。そして、押圧部材３０を本体１０に対して引き出した際には、リブ３５がガイド部１１の角部１１ａに当接して本体１０から脱落しないように構成されている。
【００３２】
押圧部材３０の両側面には、図６（ｂ）に示すように、押圧部材３０のスライド移動方向に延在する長孔３３が形成されている。長孔３３には、保持部材２０の突起部２３が嵌り合うことで、保持部材２０が押圧部材３０内で保持される注射器１００の軸線方向に移動可能に収容される。また、保持部材３０の爪部３１の内面側には壁部３６が形成され、押圧部材３０内でバネ３４で本体１０側に向って付勢された保持部材２０の先端壁２４が当接して保持部材２０の本体１０内への移動を阻止している。
【００３３】
押圧部材３０の底面には、図６（ｃ）に示すように、下方に突出する係合部３２が形成され、押圧部材３０が本体１０に対して押し込まれた際に、第１本体部１０Ａに形成された係合孔部１３と係合して、押し込まれる押圧部材３０を本体１０に固定する。
【００３４】
このように構成される押圧部材３０は、保持部材２０をバネ３４で本体１０側に向かって付勢した状態で軸線方向に移動可能に収容する。これにより、押圧部材３０が本体１０に対して押し込まれると、保持部材２０も押圧部材３０とともに本体１０内に移動し、保持部材２０の壁部２１が第１本体部１０Ａのストッパ部１２と当接した状態で保持部材２０を本体１０に付勢して移動不可とすることで、注射器１００を本体１０に対して一定の位置に固定することができる。
【００３５】
当て具４０は、図３に示すように、平坦面４１とスライド案内部４２からなり、本体１０の前端から突出して本体１０に対してスライド移動可能に支持されている。当て具４０の平坦面４１の中央部には本体１０にセットされた注射器１００のキャップ１１０が挿通する開口４１ａが形成され、キャップ１１０が抜去された状態では、注射器１００の注射針１２０が開口４１ａから突出できるようになる。
【００３６】
当て具４０は、本体１０に対して前端側に突出するようにバネ４３で付勢され（図３中  矢印Ｒ１参照）スライド案内部４２の一端に形成されたストッパ４２ａが本体１０に当接して本体１０から脱落することなく、キャップ１１０が抜去された状態では、注射針１２０の先端が当て具４０から外側に突出しないようになっている。そして、操作者が、当て具４０の平坦面４１を自己に押し当てて押圧することで、当て具４０は本体１０内にスライド移動して注射針１２０が開口４１ａから突出できる状態になる。
これにより、操作者は自己注射補助具１を安定して保持した状態で試用することができる。
【００３７】
（３）キャップの抜去動作
図７（ａ）は押圧部材３０を引き出した状態で、注射器１００を保持部材２０にセットする状態を示す縦断面図、（ｂ）は注射器１００がセットされた自己注射補助具１を示す縦断面図、（ｃ）は押圧部材３０を本体１０に押し込んだ状態の自己注射補助具１を示す縦断面図、（ｄ）は注射器１００がセットされキャップ１１０が抜去された自己注射補助具１を示す縦断面図、図８（ａ）はキャップ１１０が抜去され注射できる状態の自己注射補助具１を示す平面図、（ｂ）はキャップ１１０が抜去され注射できる状態の自己注射補助具１を示す縦断面図、図９（ａ）は当て具４０が押し込まれ注射できる状態の自己注射補助具１を示す平面図、（ｂ）は当て具４０が押し込まれ注射できる状態の自己注射補助具１を示す縦断面図である。以下、図面を参照しながら自己注射補助具１にセットされた注射器１００のキャップ１１０を抜去する動作にについて説明する。
【００３８】
図７（ａ）に示すように、本体１０に対して保持部材２０を収容した押圧部材３０を引き出した状態で、注射器１００を保持部材２０にセットする。注射器１００の保持部材２０へのセットは、キャップ１１０と外筒１０１の小径部１０４との間隙Ｇ（図１０  参照）を押圧部材３０の前端側に形成された爪部３１に嵌め込み、外筒１０１の後端に形成された鍔部１０３を保持部材２０の溝部２２に嵌め込むことで行う（図中  矢印Ｒ２参照）。
これにより、注射器１００は、保持部材２０に注射器１００の軸線方向に移動不可に固定される（図７（ｂ）参照）。
【００３９】
保持部材２０に注射器１００をセットした状態で、図７（ｃ）に示すように、押圧部材３０を押し込み操作する（図中  矢印Ｒ３参照）と、注射器１００を保持した保持部材２０は本体１０内に移動して壁部２１が第１本体部１０Ａに設けられたストッパ部１２と当接して停止する。
そして、押圧部材３０を更にロック位置まで押し込む（図７（ｄ）中  矢印Ｒ４参照）と、注射器１００は保持部材２０とともに本体１０内で停止した状態で、押圧部材３０が注射針１２０を覆うキャップ１１０を押圧して、キャップ１１０が注射器１００から抜去される（図７（ｄ）参照）。
このように、キャップ１１０で注射針１２０が覆われた注射器１００を自己注射補助具１の本体１０から引き出された保持部材２０にセットして、操作者が押圧部材３０を本体１０に対して押し込み操作するという簡単な操作により注射器１００からキャップ１１０を容易に抜去することができる。
【００４０】
注射器１００が保持部材２０で保持された状態でキャップ１１０が抜去されると、図８に示すように注射針１２０が露出して自己注射できる状態になるが、当て具４０が本体１０に対してバネ４３で前端から突出するように付勢されているために、注射針１２０は当て具４０から外側に突出しないようになっている。
そして、操作者が、当て具４０の平坦面４１を自己に押し当てて押圧する（図９中  矢印Ｒ５参照）ことで、図９に示すように、当て具４０は本体１０内にスライド移動して注射針１２０が開口４１ａから突出して自己注射できる状態になる。
【符号の説明】
【００４１】
１・・・自己注射補助具
１０・・・本体
１０Ａ・・・第１本体部
１１・・・ガイド部
１２・・・ストッパ部
１３・・・係合孔部
１４・・・支持部
１０Ｂ・・・第２本体部
１５・・・窓部
２０・・・保持部材
２１・・・壁部
２２・・・溝部
２３・・・突起部
３０・・・押圧部材
３１・・・爪部
３２・・・係合部
３３・・・長孔
３４・・・バネ
４０・・・当て具
１００・・・注射器
１１０・・・キャップ
１２０・・・注射針
【図１】
2018196649.tif 000003
【図２】
2018196649.tif 000004
【図３】
2018196649.tif 000005
【図４】
2018196649.tif 000006
【図５】
2018196649.tif 000007
【図６】
2018196649.tif 000008
【図７】
2018196649.tif 000009
【図８】
2018196649.tif 000010
【図９】
2018196649.tif 000011
【図１０】
2018196649.tif 000012